(57)【要約】【課題】冷却ドラム方式の冷却処理装置を用いて、比較的少ない量の冷媒でも溶融スラグを効率的に冷却処理することができるとともに、冷媒を介してスラグ顕熱を効率的に熱回収することができる冷却処理方法を提供する。【解決手段】内部に冷媒が通される回転可能な冷却ドラムを備え、その外周のドラム面に溶融スラグが接触することにより冷却され、冷却されたスラグがドラム面から剥離して排出されるようにした冷却処理装置を用いて、溶融スラグを冷却する方法において、冷媒として熱媒油を用い、冷却ドラムから排出された高温熱媒油を水と熱交換して蒸気を生じさせ、該蒸気を回収することにより、溶融スラグの顕熱を蒸気として熱回収する。【選択図】図４
2009228933.tif 000002
【特許請求の範囲】
【請求項１】
内部に冷媒が通される回転可能な冷却ドラムを備え、その外周のドラム面に溶融スラグが接触することにより該スラグが冷却され、該スラグがドラム面から剥離して排出されるようにした冷却処理装置を用いて、溶融スラグを冷却する方法において、
冷媒として熱媒油を用い、冷却ドラムを通過した高温熱媒油を水と熱交換して蒸気を生じさせ、該蒸気を回収することにより、溶融スラグの顕熱を蒸気として熱回収することを特徴とする溶融スラグの冷却処理方法。
【請求項２】
冷却ドラムがドラム周方向に沿ったスパイラル状の冷媒流路を有することを特徴とする請求項１に記載の溶融スラグの冷却処理方法。
【請求項３】
冷却処理装置が、冷却ドラムのドラム面に付着した溶融スラグを圧延してドラム幅方向に展伸させるための展伸ロールを有し、冷媒は該展伸ロールと冷却ドラムを通過することを特徴とする請求項１または２に記載の溶融スラグの冷却処理方法。
【発明の詳細な説明】
【技術分野】
【０００１】
本発明は、冷却ドラム方式の冷却処理装置を用いた溶融スラグの冷却処理方法に関する。
【背景技術】
【０００２】
鉄鋼製造プロセスで発生する溶融スラグ（例えば、製鋼スラグ）の多くは、冷却ヤードにおいて放冷した後、散水して冷却される。また、一部では、パン冷却方式と呼ばれる鉄製の容器に流し込んで散水冷却する方法も採られることがある。
一方、高炉スラグやごみ焼却灰溶融スラグなどの溶融スラグを冷却処理するための装置として、双ドラム方式のスラグ冷却処理装置が知られている（例えば、特許文献１など）。このスラグ冷却処理装置は、水平方向で並列し、対向する外周部分が上向きに回転する回転方向を有する１対の冷却ドラムを備えており、この１対の冷却ドラムの上部外周面間に上方から溶融スラグが供給され、スラグ液溜まりが形成される。このスラグ液溜まりから、回転する冷却ドラムの表面に付着することで溶融スラグが持ち出され、この溶融スラグは冷却ドラム面に付着した状態で適度な凝固状態（例えば、半凝固状態または表層のみ凝固した状態）まで冷却された後、所定のドラム回転位置において自重により冷却ドラム面から剥離し、回収手段に回収される。冷却ドラム内には冷却水が通され、これを冷媒としてスラグの冷却がなされる。
【０００３】
このような冷却処理装置で溶融スラグを冷却処理することにより、（i）従来のような広大な冷却ヤードが必要ない、（ii）厚みの小さいスラグ凝固体が得られるため、所望の粒度の土木材料や粗骨材などへの加工が容易であるとともに、破砕処理して粒状スラグを製造する際の粉や細粒品の発生量が少ないため、製品歩留まりが向上する、（iii）冷却のための散水が不要であるか若しくは散水量が少なくて済むため、水分を含まない若しくは水分量が少ないスラグが得られ、セメント原料などに供する場合に乾燥処理を必要としない、などの利点がある。
【特許文献１】特許第３６１３１０６号公報
【発明の開示】
【発明が解決しようとする課題】
【０００４】
上記のような冷却処理装置では、冷却ドラムに冷媒として冷却水が通されるが、循環使用する冷却水の圧力上昇を抑えるために、冷却ドラムでの冷却水の温度上昇が５〜１０℃程度に抑えられる。このため、冷却水からスラグ顕熱を効率的に回収することは難しい。また、上記のように冷却水の温度上昇が抑えられるために、溶融スラグを大量処理する場合（例えば、スラグ処理量：１ｔ／min以上）には多量の冷却水が必要となり、この冷却水を循環使用するために多大なエネルギー（例えば、循環ポンプやクーラーなどの運転のためのエネルギー）が必要になる。このため、仮にスラグ顕熱回収ができたとしても、冷却水用に必要となる上記エネルギーのために、十分な省エネルギー効果は得られない。
【０００５】
したがって本発明の目的は、このような従来技術の課題を解決し、冷却ドラム方式の冷却処理装置を用いて、比較的少ない量の冷媒でも溶融スラグを効率的に冷却処理することができるとともに、冷媒を介してスラグ顕熱を効率的に熱回収することができる冷却処理方法を提供することにある。
【課題を解決するための手段】
【０００６】
上記課題を解決するための本発明の要旨は以下のとおりである。
［1］内部に冷媒が通される回転可能な冷却ドラムを備え、その外周のドラム面に溶融スラグが接触することにより該スラグが冷却され、該スラグがドラム面から剥離して排出されるようにした冷却処理装置を用いて、溶融スラグを冷却する方法において、
冷媒として熱媒油を用い、冷却ドラムを通過した高温熱媒油を水と熱交換して蒸気を生じさせ、該蒸気を回収することにより、溶融スラグの顕熱を蒸気として熱回収することを特徴とする溶融スラグの冷却処理方法。
【０００７】
［2］上記［1］の冷却処理方法において、冷却ドラムがドラム周方向に沿ったスパイラル状の冷媒流路を有することを特徴とする溶融スラグの冷却処理方法。
［3］上記［1］または［2］の冷却処理方法において、冷却処理装置が、冷却ドラムのドラム面に付着した溶融スラグを圧延してドラム幅方向に展伸させるための展伸ロールを有し、冷媒は該展伸ロールと冷却ドラムを通過することを特徴とするの溶融スラグの冷却処理方法。
【発明の効果】
【０００８】
本発明の溶融スラグの冷却処理方法によれば、冷却ドラム方式の冷却処理装置で溶融スラグを冷却処理する際に、水よりも高沸点の冷媒（熱媒油）を用いるため比較的少ない量の冷媒でも溶融スラグを効率的に冷却処理することができ、しかも、その冷却処理により高温化した高沸点冷媒と水との熱交換により蒸気を発生させ、この蒸気を回収するようにしたので、スラグ顕熱を効率的に熱回収することができる。さらに、熱媒油と熱交換させる水の量と圧力を自在に調整できるため、高温の過熱蒸気または飽和蒸気を容易に得ることができ、スラグ顕熱を蒸気としてより効率的に回収することができる。
【発明を実施するための最良の形態】
【０００９】
本発明の溶融スラグの冷却処理方法は、内部に冷媒が通される回転可能な冷却ドラムを備え、その外周のドラム面に溶融スラグが接触することにより冷却され、冷却されたスラグがドラム面から剥離して排出されるようにした冷却処理装置を用いて、溶融スラグを冷却する方法において、冷媒として熱媒油を用い、冷却ドラムを通過した高温熱媒油を水と熱交換して蒸気を生じさせ、この蒸気を回収することにより、溶融スラグの顕熱を蒸気として熱回収するものである。
【００１０】
溶融スラグの種類に制限はなく、例えば、高炉スラグ、製鋼スラグ（例えば、転炉脱炭スラグ、脱燐スラグ、脱珪スラグ、脱硫スラグ、電気炉スラグ、鋳造スラグなど）、溶融還元スラグ（例えば、鉄鉱石、Ｃｒ鉱石、Ｎｉ鉱石、Ｍｎ鉱石などの溶融還元により生じるスラグ）、その他の製錬炉や精錬炉から発生するスラグ、ごみ焼却灰溶融スラグ、廃棄物ガス化溶融スラグなど、種々のスラグを対象とすることができる。
本発明で冷媒に使用する熱媒油としては、例えば、シリコーン油、鉱油、高温用潤滑油などが挙げられる。
【００１１】
本発明で使用する溶融スラグの冷却処理装置は、上記のような冷却ドラムを備えるものであればその種類を問わないが、代表的な装置としては、例えば、以下のような方式のものがある。
（イ）溶融スラグを回転する冷却ドラムに接触させて冷却し、板状、柱状、細片状または粒状の高温スラグとして排出するスラグ冷却処理装置
（ロ）溶融スラグを回転する１対の冷却ドラムで圧延しつつ冷却し、板状、柱状、細片状または粒状の高温スラグとして排出するスラグ冷却処理装置
【００１２】
上記（イ）のスラグ冷却処理装置としては、例えば、（a）単一の横型冷却ドラムと、この横型冷却ドラムに溶融スラグを供給する樋を備える冷却処理装置（単ドラム型冷却処理装置）、（b）対向する外周部分が上向きに回転する回転方向を有する、並列した１対の横型冷却ドラムを備え、この１対の横型冷却ドラムの上部外周面間に上方から溶融スラグが供給される冷却処理装置（双ドラム型冷却処理装置）、などがある。
また、上記（ロ）のスラグ冷却処理装置としては、例えば、間隙を有して並列し、対向する外周部分が下向きに回転する回転方向を有する１対の横型冷却ドラムを備え、この１対の冷却ドラムの上部外周面間に上方から溶融スラグが供給される冷却処理装置などがある。
ここで、横型冷却ドラムの「横型」とは、ドラムの回転軸が概略水平方向となっていることを言う。
【００１３】
まず、上記（イ）、（ロ）の各タイプのスラグ冷却処理装置の概略を、図１〜図３の実施形態に基づいて説明する。
図１は、上記（イ）のタイプのうちの単ドラム型冷却処理装置の一実施形態を示す説明図である。この冷却処理装置は、外周のドラム面１００に溶融スラグを付着させて冷却する、回転可能な単一の横型冷却ドラム１e（以下、単に「冷却ドラム」という。他の実施形態についても同様）と、この冷却ドラム１eに溶融スラグを供給する樋２を備えている。
【００１４】
前記樋２は、冷却ドラム径方向の一方の側に配置され、その先端部が冷却ドラム１eのドラム面１００に接するか若しくは近接するように設けられるとともに、樋２の先端部分とドラム面１００とによりスラグ液溜まり部Ａを形成し、冷却ドラム１eの回転に伴い、スラグ液溜まり部Ａ内の溶融スラグＳがドラム面１００に付着して持ち出されるようにしてある。
樋２の先端部は、ドラム面１００に接してもよいし、小さい間隙を形成してドラム面１００に近接させてもよい。後者の場合には、熱膨張を考慮して溶融スラグＳが漏れない程度の隙間をもって近接させることが好ましいが、溶融スラグＳの漏れを確実に防止するため、その間隙部分に対して樋２の下方に設けられたガス噴射手段７からパージガスを噴射することが好ましい。
【００１５】
この樋先端部とドラム面との隙間に関しては、溶融スラグの粘性にもよるが、高温でのスラグ処理実施時において広くても５ｍｍ以下、望ましくは３ｍｍ以下、さらに望ましくは１ｍｍ以下とすることが望ましい。通常、ロール設置時は常温であるので、ロールの熱膨張を考慮する必要がある。一例を示すと、鋼製の直径１．６ｍφの冷却ロールで、鋼の熱膨張率が１５×１０−６であるので、ロール材料平均温度が２００℃として、熱膨張で径方向に伸びる長さは、
半径８００ｍｍ×２００℃×１５×１０−６＝２．４ｍｍ
である。
隙間を狭くできればできるほど、パージガスの量を低減でき、１ｍｍないしそれ以下のほとんど接触しているような状態にできれば、パージガスなしでも溶融スラグの漏れを制御できる。隙間を狭めるほど、樋先端部の接触によるドラム面の摩耗や損耗が進むことになるので、ドラム面と接触する可能性の高い樋先端部に関しては、すべり性の良い炭素質やボロンナイトライドその他の材料で構成することが望ましい。
前記冷却ドラム１eは、駆動装置（図示せず）により、その上部ドラム面が反樋方向に回転するように回転駆動する。
【００１６】
また、本実施形態では、冷却ドラム１eのドラム面１００に付着した溶融スラグを圧延してドラム幅方向に展伸させるための展伸ロール３を有している。このような展伸ロール３を備えた冷却処理装置は、特に粘度が高いスラグ塩基度［質量比：％ＣａＯ／％ＳｉＯ２］（以下、単に「塩基度」という）が２以上の溶融スラグの冷却処理に好適なものである。すなわち、転炉脱炭精錬スラグなどのように塩基度が比較的高い溶融スラグは粘性が高く、このような粘性の高い溶融スラグを冷却ドラム式のスラグ冷却処理装置で冷却処理する場合、高粘性のために溶融スラグが冷却ドラム面に均一に付着しにくく、ドラム面全体を有効に使用した冷却処理を行うことができない。このため溶融スラグの冷却効率が低く、高い生産性が得られない。また、塩基度が高いスラグ（特に、塩基度≧３）は粉化しやすく、このようなスラグは溶融状態から急冷することにより、粉化しにくくすることができるが、従来のスラグ冷却処理装置で冷却処理した場合、高粘性のために厚みを薄くすることができず、十分な冷却速度が得られないため、冷却後の粉化を適切に抑制できない。このような課題に対して、本実施形態では、冷却ドラム１eのドラム面１００に付着した溶融スラグを圧延してドラム幅方向に展伸させるための展伸ロール３を設けたものである。
前記展伸ロール３は、冷却ドラム１eの上部に冷却ドラム１eと平行に且つ冷却ドラム１eのドラム面１００との間で所定の間隔を形成するようにして配置され、回転可能に支持されている。
【００１７】
以上のような冷却処理装置を用いた溶融スラグの冷却処理では、樋２に供給された溶融スラグＳはスラグ液溜まり部Ａに流入し、ここで適当な時間滞留することで冷却された後、冷却ドラム１eのドラム面１００に付着して持ち出され、ドラム面１００に付着した状態で適度な凝固状態（例えば、半凝固状態または片面若しくは両面の表層のみが凝固した状態）まで冷却される。その際、ドラム面１００に付着した溶融スラグＳは、展伸ロール３で圧延されることでドラム幅方向に展伸される。冷却されたスラグは、所定のドラム回転位置において自重により冷却ドラム面から自然に剥離する。
【００１８】
図２は、上記（イ）のタイプのうちの双ドラム型冷却処理装置の一実施形態を示す説明図である。
この冷却処理装置は、対向する外周部分が上向きに回転する回転方向を有する、並列した１対の冷却ドラム１a，１bを備え、この１対の冷却ドラム１a，１bの上部外周面間に上方から溶融スラグＳが供給される。
前記冷却ドラム１a，１bは、駆動装置（図示せず）により上記の回転方向に回転駆動する。また、冷却ドラム１a，１bの上部には、図１の実施形態と同様の展伸ロール３a，３bが冷却ドラムと平行に設けられている。
【００１９】
本実施形態の冷却処理装置では、対向する外周部分が上向きに回転する冷却ドラム１a，１bの上部外周面間（断面Ｖ溝状の凹部）に、スラグ樋４から溶融スラグＳが供給され、スラグ液溜まりＳａが形成される。溶融スラグＳは、スラグ液溜まりＳａで適当な時間滞留することで冷却された後、回転する冷却ドラム１a，１bの表面に付着することでスラグ液溜まりＳａから持ち出される。この溶融スラグＳは展伸ロール３a，３bで圧延されつつ、冷却ドラム面に付着した状態で適度な凝固状態（例えば、半凝固状態または表層のみ凝固した状態）まで冷却された後、所定のドラム回転位置において自重により冷却ドラム面から自然に剥離する。
【００２０】
図３は、上記（ロ）のタイプの冷却処理装置の一実施形態を示す説明図である。
この冷却処理装置は、間隙を有して並列し、対向する外周部分が下向きに回転する回転方向を有する１対の冷却ドラム１x，１yを備え、この１対の冷却ドラム１x，１yの上部外周面間に上方から溶融スラグＳが供給される。前記冷却ドラム１x，１yは、駆動装置（図示せず）により上記の回転方向に回転駆動する。
本実施形態の冷却処理装置では、対向する外周部分が下向きに回転する冷却ドラム１x，１yの上部外周面間（断面Ｖ溝状の凹部）に、スラグ樋４から溶融スラグＳが供給され、スラグ液溜まりＳａが形成される。溶融スラグＳは、スラグ液溜まりＳａで適当な時間滞留することで冷却された後、間隙ｇ内に流入して１対の冷却ドラム１x，１yで冷却されつつ圧延された後、冷却ドラム面から剥離して下方に排出される。なお、本タイプの冷却処理方法において、１対の冷却ドラム１x，１yでスラグを圧延するとは、冷却ドラム１x，１yの間隙ｇから少なくとも表面が凝固した状態でスラグを下方に抜き出すことを指す。
【００２１】
以下、上記のような冷却処理装置を用いる本発明の実施形態について、説明する。
図４は、本発明の一実施形態を示すものである。
この実施形態では、循環系６（管路）および循環ポンプＰにより冷却ドラム１（例えば、図１の装置では冷却ドラム１e、図２の装置では冷却ドラム１a，１b、図３の装置では冷却ドラム１x，１y。以下に述べる他の実施形態も同様）に対して熱媒油を循環させるが、冷却ドラム１で熱媒油をスラグと十分に熱交換させて、熱媒油を高温化する。そして、冷却ドラム１から排出された高温熱媒油を熱交換器８に通して水と熱交換することにより水を蒸気に換え、この蒸気を回収する。一方、熱交換されて温度低下した熱媒油は循環使用される。熱媒油として例えばシリコーン油を用いた場合、熱媒油は冷却ドラム１内でのスラグとの熱交換により最高２５０℃程度まで昇温し、その後、熱交換器８で水と熱交換されて１００℃以下まで降温する。
【００２２】
図示していないが、熱媒油（シリコン油）、水および蒸気の温度を把握するための熱電対が備えられ、熱媒油の温度が過熱しないように、熱媒油供給ポンプを駆動する。熱媒油の冷却ドラム出口温度を一定とするように、ドラムへの熱媒油供給量を増減し、温度調整するとともに、熱交換器８出口の熱媒油温度を一定とするように、熱媒油と熱交換する冷却水供給量を調整する。その結果、スラグ処理量の変動に伴う熱負荷変動を平準化でき、安定したスラグ冷却と安定した蒸気圧（温度）の蒸気を回収することができる。
本発明では、水よりも高沸点の冷媒（熱媒油）を用いるため比較的少ない量の冷媒でも溶融スラグを効率的に冷却処理することができる。しかも、その冷却処理により高温化した高沸点冷媒と水との熱交換により蒸気を発生させ、この蒸気を回収するようにしたので、スラグ顕熱を効率的に熱回収することができる。また、熱媒油と熱交換させる水の量を自在に調整できるため、高温の蒸気を容易に得ることができ、スラグ顕熱を蒸気としてより効率的に回収することができる。
【００２３】
図５は、本発明の他の実施形態を示すものである。この実施形態は、展伸ロール３を有する冷却処理装置において、熱媒油の循環系６に展伸ロール３の冷却機構を組み込み、熱媒油を展伸ロール３の冷媒流路→冷却ドラム１の冷媒流路の順に通過させて、循環系６内で循環させるものであり、その他の構成は図４の実施形態と同様である。
この図５の実施形態では、熱媒油が展伸ロール３でもスラグと熱交換するため、熱媒油がより高温化するので、スラグ顕熱の回収効率をより高めることができる。
【００２４】
冷却ドラム１での溶融スラグの冷却効率を高め、冷媒の温度を十分に高くするため、冷却ドラム１は、その内部にドラム周方向に沿ったスパイラル状の冷媒流路５を有するものが好ましい。
この冷媒流路５は、一般にドラム面（外周面）の内側にスパイラル状に設けられる流路仕切板によりジャケット状に形成される。図６（図６（イ）はドラム縦断面図、図６（ロ）はドラム横断面図）は、そのような冷媒流路５の断面構造を示すもので、冷却ドラム１の胴部は外筒１０１と内筒１０２からなる二重筒構造を有し、この外筒１０１と内筒１０２間に流路仕切板１０３をドラム周方向でスパイラル状に設けることにより、スパイラル状の冷媒流路５が形成される。
【００２５】
また、他の構造としては、例えば、図７（図７（イ）はドラム縦断面図、図７（ロ）はドラム横断面図）に示すように、図６のようなジャケット式の冷媒流路５（但し、図７（イ）では流路仕切板１０３の図示を省略）を形成するとともに、ドラム面１００にスパイラル状の冷媒流路５aを突設した構造としてもよい。また、図８（図８（イ）はドラム縦断面図、図８（ロ）はドラム横断面図）に示すように、ドラム面１００に銅管などの管体２０をスパイラル状に密に巻き付け、この管体２０内部を冷媒流路５とする構造としてもよい。これらの構造とすることにより、冷媒流路５と溶融スラグとの接触面積が増大するため、より高い冷却効率が得られる。
【００２６】
また、冷却ドラム１に、ドラム周方向に沿ったスパイラル状の冷媒流路５を設ける場合、冷媒の導出入を一方のドラム端側のみから行うようにするため、図９に示すような構成とすることが好ましい。すなわち、スパイラル状の冷媒流路５とは別に、冷却ドラム１の中心軸に沿って冷媒流路１０を設け、冷却ドラム１の一端側において、冷媒流路１０をスパイラル状の冷媒流路５に接続し、冷却ドラム１の他端側における冷媒流路１０の端部を冷媒入口１１、同じく冷媒流路５の端部を冷媒出口１２とする。したがって、冷媒入口１１から冷却ドラム１内に導入された冷媒は、まず、冷媒流路１０内をドラム長手方向に流れ、冷却ドラム１の一端側において反転してスパイラル状の冷媒流路５を流れ、冷媒出口１２から排出される。
【００２７】
本発明において得られた蒸気は種々の用途に利用できるが、図１０は、スラグ処理に利用する場合の一実施形態を示したものである。
この実施形態では、図２に示すタイプの冷却処理装置Ｘを備えているが、例えば、図１や図３に示すタイプのものを用いてもよい。
本実施形態では、前記冷却処理装置Ｘで冷却されたスラグＳxを、さらに冷媒（蒸気）と熱交換させて顕熱回収（さらにはエージング処理）を行うための筒状処理容器１３が設けられている。この筒状処理容器１３は、一端側にスラグ装入部１４、他端側にスラグ取出部１５と蒸気取出部１６を備えるとともに、一端側から他端側に向かって下向きに傾斜し、筒軸を中心に回転可能である。この筒状処理容器１３の基本構造は、所謂ローターキルンなどの構造と同様であり、筒状処理容器１３内に装入された材料（スラグ）は、長手方向で傾斜した筒状処理容器が回転することにより、容器長手方向で順次移送される。筒状処理容器１３内には、冷媒供給機構１７が設置されている。この冷媒供給機構１７には、熱交換器８において熱媒油と水との熱交換で発生した蒸気が管路１８を通じて供給される。
【００２８】
本実施形態において、冷却処理装置Ｘで冷却処理されたスラグＳxはそのまま搬送コンベア１９で搬送され、筒状処理容器１３内に装入される。筒状処理容器１３内には、冷媒供給機構１７から蒸気が供給されてスラグＳxが冷却される。この蒸気と容器内を移動するスラグが熱交換することで、スラグＳxがさらに冷却されるとともに、スラグＳx中に未だ遊離ＣａＯが残存している場合には蒸気により水和反応を生じるエージング処理がなされる。この際、筒状処理容器１３の回転によりスラグが撹拌されるので、蒸気との接触が促進され、遊離ＣａＯの水和反応が効率的に生じることになる。また、水和反応する際の体積膨張（密度の低下による体積膨張）によりスラグが砕け（崩壊する）、新しい遊離ＣａＯがスラグ表面に露出して水蒸気と接触し、さらに水和反応が進み、スラグは徐々に砕けて細粒化が進む。このようにスラグＳxはエージング処理により徐々に細粒化するため、スラグの処理容器内での滞留時間（エージング処理時間）を適宜調整することにより、スラグを十分に細粒化し、エージング処理後の破砕工程を省略することができる。
【００２９】
筒状処理容器１３内において、冷媒供給機構１７から蒸気を供給する位置（領域）は任意であり、筒状処理容器１３の内部をスラグ移送方向で上流側領域ＲＵと下流側領域ＲＬとに分けた場合、いずれかの領域若しくは両領域で供給することができるが、例えば、供給される蒸気の温度が比較的高い場合には、主にエージングに寄与させることを狙いとして下流側領域ＲＬにのみ供給してもよい。この場合には、上流側領域ＲＵには、同じ冷媒供給機構１７または他の供給手段により、水や他の供給源からの蒸気が供給される。一方、供給される蒸気の温度が比較的低い場合には、スラグと熱交換させて昇温させることを狙いとして上流側領域ＲＵにのみ供給してもよい。
【００３０】
筒状処理容器１３内での処理を終えたスラグＳxは、スラグ取出部１５から取り出されるとともに、高温化した蒸気が蒸気取出部１６から取り出され、高品位の熱源用流体として種々の用途に利用される。
なお、処理容器１３としては、本実施形態のような方式のものに限らず、例えば、充填層式、移動床式、流動層式など、適宜な方式のものを用いることができる。
以上のように本実施形態によれば、スラグ顕熱を最も有効に回収・利用することができる。
【図面の簡単な説明】
【００３１】
【図１】本発明で用いる冷却処理装置の一実施形態を示す説明図
【図２】本発明で用いる冷却処理装置の他の実施形態を示す説明図
【図３】本発明で用いる冷却処理装置の他の実施形態を示す説明図
【図４】本発明の一実施形態を示す説明図
【図５】本発明の他の実施形態を示す説明図
【図６】本発明で用いる冷却処理装置の冷却ドラムの一構造例を示す説明図
【図７】本発明で用いる冷却処理装置の冷却ドラムの他の構造例を示す説明図
【図８】本発明で用いる冷却処理装置の冷却ドラムの他の構造例を示す説明図
【図９】本発明で用いる冷却処理装置の冷却ドラムの冷媒流路の構成例を示す説明図
【図１０】本発明の他の実施形態を示す説明図
【符号の説明】
【００３２】
１，１e，１a，１b，１x，１y  横型冷却ドラム
２  樋
３，３a，３b  展伸ロール
４  スラグ樋
５，５a  冷媒流路
６  循環系
７  ガス噴射手段
８  熱交換器
１０  冷媒流路
１１  冷媒入口
１２  冷媒出口
１３  筒状処理容器
１４  スラグ装入部
１５  スラグ取出部
１６  蒸気取出部
１７  冷媒供給機構
１８  管路
１９  搬送コンベア
２０  管体
１００  ドラム面
１０１  外筒
１０２  内筒
１０３  流路仕切板
Ａ  スラグ液溜まり部
Ｘ  冷却処理装置
【図１】
2009228933.tif 000003
【図２】
2009228933.tif 000004
【図３】
2009228933.tif 000005
【図４】
2009228933.tif 000006
【図５】
2009228933.tif 000007
【図６】
2009228933.tif 000008
【図７】
2009228933.tif 000009
【図８】
2009228933.tif 000010
【図９】
2009228933.tif 000011
【図１０】
2009228933.tif 000012